(57)【要約】【課題】  架台の上部にがい管が固定された部材のがい管の保守点検作業、事故等の緊急時の作業等の各種の作業を容易に、短時間で、効率良く行うことができる足場を提供する。【解決手段】  地上に設置された架台２１と、該架台２１の上部に固定されたがい管２５とを備える設備２０において用いられる足場１であって、前記架台２１の外面に沿うように地上から立て掛けられる梯子部２と、前記梯子部２の前記架台２１から上方に突出する部分である固定囲い部６に接続された可動囲い部７とを備え、前記可動囲い部７は、前記固定囲い部６に対して閉じて前記がい管２５の周囲を囲む閉状態と、前記固定囲い部６に対して開いた開状態との間を回動できるように、前記固定囲い部６に接続されている。【選択図】        図１
2015119551.tif 000002
【特許請求の範囲】
【請求項１】
地上に設置された架台と、該架台の上部に固定されたがい管とを備える設備において用いられる足場であって、
前記架台の外面に沿うように地上から立て掛けられる梯子部と、
前記梯子部の前記架台から上方に突出する部分である固定囲い部に接続された可動囲い部とを備え、
前記可動囲い部は、前記固定囲い部に対して閉じて前記がい管の周囲を囲む閉状態と、前記固定囲い部に対して開いた開状態との間を回動できるように、前記固定囲い部に接続されていることを特徴とする足場。
【請求項２】
前記可動囲い部を前記開状態に固定するストッパー部が設けられていることを特徴とする請求項１に記載の足場。
【請求項３】
前記可動囲い部を前記閉状態に固定するストッパー部が設けられていることを特徴とする請求項１又は２に記載の足場。
【請求項４】
前記固定囲い部及び前記可動囲い部の内面側にはクッション材が設けられていることを特徴とする請求項１〜３の何れか１項に記載の足場。
【請求項５】
前記梯子部は略半円筒状をなし、前記閉状態において前記固定囲い部及び前記可動囲い部は、略半円筒状をなすことを特徴とする請求項１〜４の何れか１項に記載の足場。
【請求項６】
前記梯子部は平板状をなし、前記閉状態において前記固定囲い部及び前記可動囲い部は、略半円筒状をなすことを特徴とする請求項１〜４の何れか１項に記載の足場。
【請求項７】
前記梯子部及び前記可動囲い部は、複数の縦材と横材とを縦横に組み合わせて構成されていることを特徴とする請求項１〜６の何れか１項に記載の足場。
【請求項８】
前記梯子部は導電性材料から構成され、前記架台に対して導電性部材で固定されることを特徴とする請求項１〜７の何れか１項に記載の足場。
【請求項９】
請求項１〜８の何れか１項に記載の足場を用いて、前記がい管に対する作業を行う作業方法であって、
前記可動囲い部を前記開状態として前記梯子部を前記架台に立て掛け、
前記可動囲い部を前記閉状態として、前記可動囲い部と前記固定囲い部で前記がい管の周囲を囲み、
前記梯子部を前記固定囲い部まで昇って前記がい管に対する作業を行うことを特徴とする足場を用いた作業方法。
【発明の詳細な説明】
【技術分野】
【０００１】
本発明は、足場及びこの足場を用いた作業方法に関し、特に、架台の上部に固定されたがい管の保守点検作業、事故等の緊急時の作業等の各種の作業に有効な足場及びこの足場を用いた作業方法に関する。
【背景技術】
【０００２】
従来、電力ケーブルと架空送電線や電力機器等とを接続する際に、電力ケーブルの終端部に端末処理を施すための部材として、鉄骨製の架台の上部に磁器製のがい管を固定した気中終端接続箱が知られている。
【０００３】
このような構成の気中終端接続箱においては、保守点検作業、事故等の緊急時の作業等の各種の作業を行う際に、がい管の外被に胴綱を掛けて、作業者ががい管を直接昇ることにより、がい管の保守点検作業、上端部の端子の開放作業等の各種の作業を行っている。
【０００４】
ところで、近年においては、磁器製のがい管に代わって外被に有機絶縁材（高分子材料）を使用したがい管（以下、「ポリマーがい管」と称する。）が使用されている。ポリマーがい管は、磁器製のがい管に比べて軽量で耐衝撃性等に優れる特性を有するため、磁器製のがい管よりも全長を短くしても磁器製のがい管と同等の絶縁性能が得られる。このため、気中終端接続箱のがい管として使用した場合には、全体を小型化することができるメリットがある。
【０００５】
しかし、ポリマーがい管は、柔軟性を有するためにがい管に胴綱を掛けて、作業者ががい管を直接昇ってがい管の保守点検作業等の各種の作業を行うことはできない。このため、特許文献１に記載のような足場を設置し、足場を利用してがい管の保守点検作業等の各種の作業を行う必要がある。
【０００６】
特許文献１に記載の足場（気中ケーブルヘッド用簡易足場）は、気中ケーブルヘッド（がい管）の土台部に載せられる複数の縦型鋼材と、複数の縦型鋼材を連結する複数の横型鋼材とによって構成されている。
【０００７】
このような構成の足場を気中ケーブルヘッドの土台部に直接に組み付けることにより、作業者が足場を利用して気中ケーブルヘッドに対して各種の作業を効率良く、安全に行うことができる。
【先行技術文献】
【特許文献】
【０００８】
【特許文献１】特開２０１０−２２１０６号公報
【発明の概要】
【発明が解決しようとする課題】
【０００９】
しかし、特許文献１に記載の足場は、気中ケーブルヘッドの土台部に取り付けるために、気中ケーブルヘッドを架台に固定しているボルト軸からナットを取り外し、縦型鋼材の下端部の水平板片を架台側のボルト軸に宛がい、ボルト軸を水平板片の孔に挿通させた後に、ボルト軸にナットを締め直す作業が必要になり、その作業に非常に手間がかかる。
【００１０】
また、気中ケーブルヘッドの周囲を囲むように構成する場合には、一対の半周枠体の縦型鋼材間をボルト、ナットで連結して円筒状に形成するか、或いは、４本の縦型鋼材を水平板片を介して土台部に取り付け、隣接する縦型鋼材間に横型鋼材のリング部分を挿入さて、隣接する縦片鋼材間を連結する必要があり、それらの組立作業に非常に手間がかかる。
【００１１】
本発明は、上記のような従来の問題に鑑みなされたものであって、架台の上部に固定されたがい管の保守点検作業、事故等の緊急時の作業等の各種の作業を行う際に、容易に、短時間で設置することができて、各種の作業を容易に、短時間で効率良く、安全に行うことができる足場及びこの足場を用いた作業方法を提供することを目的とする。
【課題を解決するための手段】
【００１２】
上記のような課題を解決するために、本発明は、以下のような手段を採用している。
すなわち、本発明は、地上に設置された架台と、該架台の上部に固定されたがい管とを備える設備において用いられる足場であって、前記架台の外面に沿うように地上から立て掛けられる梯子部と、前記梯子部の前記架台から上方に突出する部分である固定囲い部に接続された可動囲い部とを備え、前記可動囲い部は、前記固定囲い部に対して閉じて前記がい管の周囲を囲む閉状態と、前記固定囲い部に対して開いた開状態との間を回動できるように、前記固定囲い部に接続されていることを特徴とする。
【００１３】
本発明の足場によれば、足場を設置する際に、架台の外面に沿うように地上から梯子部を立て掛け、可動囲い部を回動させて固定囲い部に対して閉じた状態とすることにより、固定囲い部及び可動囲い部でがい管の周囲を囲むことができる。
従って、足場を容易に、短時間で設置することができるので、がい管の保守点検作業、事故等の緊急時の作業等の各種の作業を容易に、短時間で、効率良く行うことができ、がい管の保守点検作業等の作業に要する費用を削減することができる。
また、足場の設置に要する時間を短縮することができるので、がい管の保守点検作業等の各種の作業の際に、停電時間を短縮することができるとともに、事故等の緊急時に迅速に対応することができる。
また、固定囲い部及び可動囲い部でがい管の周囲を囲むことができるので、がい管の全周の保守点検作業等の作業を容易に、短時間で、効率良く行うことができる。
また、地上から足場を設置することができるので、架台の上部に足場を設置する場合のように、足場の設置の際に足場の各部をがい管に接触させてがい管を損傷させるようなことはない。
また、がい管に対して各種の作業を行う場合に、がい管に胴綱を掛ける必要がないので、柔軟性を有するポリマーがい管であっても、がい管を損傷させることなく、がい管に対する各種の作業を容易に、短時間で、効率良く行うことができる。
【００１４】
また、本発明において、前記可動囲い部を前記開状態に固定するストッパー部が設けられていることとしてもよい。
【００１５】
本発明の足場によれば、足場を設置する際に、ストッパー部で可動囲い部を開状態に固定しておくことにより、可動囲い部が過って閉じる方向に動いて、がい管に接触してがい管を損傷させるようなことはない。
【００１６】
また、本発明において、前記可動囲い部を前記閉状態に固定するストッパー部が設けられていることとしてもよい。
【００１７】
本発明の足場によれば、足場を設置した際に、ストッパー部で可動囲い部を閉じた状態に固定しておくことにより、固定囲い部及び可動囲い部を利用してがい管の保守点検作業等を行う場合に、可動囲い部が過って開く方向に回動するようなことはなく、作業者の安全を確保することができる。
【００１８】
また、本発明において、前記固定囲い部及び前記可動囲い部の内面側にはクッション材が設けられていることとしてもよい。
【００１９】
本発明の足場によれば、固定囲い部及び可動囲い部の内面側を誤ってがい管に接触させても、固定囲い部及び可動囲い部の内面側に設けられているクッション材によってがい管が損傷するのを防止できる。
【００２０】
また、本発明において、前記梯子部は略半円筒状をなし、前記閉状態において前記固定囲い部及び前記可動囲い部は、略半円筒状をなすこととしてもよい。
【００２１】
本発明の足場によれば、略半円筒状の固定囲い部と可動囲い部とによってがい管の全周を囲むことができるので、固定囲い部及び可動囲い部を利用して、がい管の全周の保守点検作業等の各種の作業を容易に、短時間で、効率良く行うことができる。
【００２２】
また、本発明において、前記梯子部は平板状をなし、前記閉状態において前記固定囲い部及び前記可動囲い部は、略半円筒状をなすこととしてもよい。
【００２３】
また、本発明において、前記梯子部及び前記可動囲い部は、複数の縦材と横材とを縦横に組み合わせて構成されていることとしてもよい。
【００２４】
本発明の足場によれば、固定囲い部及び可動囲い部の横材に胴綱を掛けることができるので、がい管に胴綱を掛ける必要はなく、柔軟性を有するポリマーがい管であっても、がい管を損傷させることなく、がい管に対して各種の作業を行うことができる。また、固定囲い部及び可動囲い部の横材を利用して、作業者よりも上方の部分に胴綱を掛けることができるので、作業者が過って横材から足を踏み外した場合の作業者の落下距離を短くすることができ、作業者の安全を確保することができる。
【００２５】
また、本発明において、前記梯子部は導電性材料から構成され、前記架台に対して導電性部材で固定されることとしてもよい。
【００２６】
本発明の足場によれば、足場の梯子部を導電性材料で構成し、梯子部を架台に導電性部材で固定することにより、梯子部２を接地させることができ、安全性を高めることができる。
【００２７】
また、本発明は、請求項１〜８の何れか１項に記載の足場を用いて、前記がい管に対する作業を行う作業方法であって、前記可動囲い部を前記開状態として前記梯子部を前記架台に立て掛け、前記可動囲い部を前記閉状態として、前記可動囲い部と前記固定囲い部で前記がい管の周囲を囲み、前記梯子部を前記固定囲い部まで昇って前記がい管に対する作業を行うことを特徴とする。
【発明の効果】
【００２８】
以上、説明したように、本発明の足場及び足場を用いた作業方法によれば、容易に短時間で設置することができるので、がい管の保守点検作業、事故等の緊急時の作業等の各種の作業を容易に、短時間で、効率良く行うことができる。また、地上から設置することができるとともに、がい管に対する各種の作業の際に、がい管に胴綱を掛ける必要がないので、柔軟性を有するポリマーがい管であっても、がい管を損傷させることなく各種の作業を行うことができる。
【図面の簡単な説明】
【００２９】
【図１】本発明による一実施形態の足場の全体を示した正面図であって、可動囲い部の開状態を示した正面図である。
【図２】図１の可動囲い部の閉状態を示した正面図である。
【図３】図１の斜視図である。
【図４】図２の斜視図である。
【図５】蝶番の拡大図である。
【図６】ストッパー部の拡大図である。
【図７】本発明による他の実施の形態の足場を示した概略図であって、可動囲い部の開状態を示した概略図である。
【図８】図７の可動囲い部の閉状態を示した概略図である。
【発明を実施するための形態】
【００３０】
以下、図面を参照しながら本発明の実施の形態について説明する。
図１〜図６には、本発明による足場及び足場を用いた作業方法の一実施の形態が示されている。本実施の形態の足場１及び足場１を用いた作業方法は、例えば、電力ケーブルと架空送電線や電力機器等とを接続する際に、電力ケーブルの終端部に端末処理を施すために使用される設備としての気中終端接続箱２０に適用される。
【００３１】
気中終端接続箱２０は、図１〜図４に示すように、地上に設置される鉄骨製の架台２１と、架台２１の上部に固定される複数個（本実施の形態では３個）のがい管２５とから構成され、各がい管２５の内部に下方から電力ケーブル（図示せず）の終端部が挿入され、各がい管２５の上端部に架空送電線等と接続するための端子が設けられている。
【００３２】
がい管２５は、外被に有機絶縁材（高分子材料）を使用したがい管（複合がい管、コンポジットがい管、ポリマーがい管等と称される。）であって、磁器製のがい管に比べて軽量で耐衝撃性等に優れる特性を有し、磁器製のがい管よりも全長を短くしても、磁器製のがい管と同等の絶縁性能が得られる。
【００３３】
架台２１は、複数の鋼材を縦横に組み合わせて構成したものであって、地上に設置されたコンクリート製の基台の上部にアンカーボルト等により固定され、この架台２１の上部に３個のがい管２５が碍子、支持金具等を介して固定されている。
【００３４】
本実施の形態の足場１は、図１〜図４に示すように、気中終端接続箱２０の架台２１の外面に沿うように地上から立て掛けられる略半円筒状の梯子部２と、梯子部２の架台２１から上方に突出している部分である固定囲い部６と、固定囲い部６に接続される可動囲い部７とから構成されている。
【００３５】
梯子部２は、複数の縦材３と横材４とを格子状に枠組みして構成したものであって、横材４に円弧状に屈曲させた材料を用いることで、全体が略半円筒状に形成されている。梯子部２は、架台２１の外面に沿うように地上から立て掛けた状態で、上端が架台２１の上部のがい管２５の上端よりも僅かに上方に位置するように、全長が設定されている。また、梯子部２は、架台２１の外面に沿うように地上から立て掛けた状態で、架台２１から上方に突出している部分の固定囲い部６の内面側でがい管２５の半周を所定の間隔をおいて囲むように、曲率半径が設定されている。梯子部２の縦材３及び横材４は、板状、棒状又はパイプ状の各種のアルミ鋼材又は鋼材から形成されている。
【００３６】
梯子部２の架台２１から上方に突出している部分である固定囲い部６は略半円筒状に形成され、この固定囲い部６に蝶番１０を介して略半円筒状に形成された可動囲い部７が回動自在に接続されている。
可動囲い部７は、複数の縦材８と横材９とを格子状に枠組みして構成したものであって、横材９に円弧状に屈曲させた材料を用いることにより、全体が略半円筒状に形成されている。可動囲い部７は、固定囲い部６と同一長さ、及び同一曲率半径に設定され、可動囲い部７の内面側でがい管２５の残りの半周が囲まれるようになっている。可動囲い部７の縦材８及び横材９は、梯子部２の縦材３及び横材４と同様に、板状、棒状又はパイプ状の各種のアルミ鋼材又は鋼材から形成されている。
なお、可動囲い部７は、その一端（図３における右端）の縦材８ｂが固定囲い部６の一端（図３における左端）の縦材３ａに蝶番１０を介して接続されている。
【００３７】
蝶番１０は、図５に示すように、固定囲い部６の縦材３ａに取り付けられる固定板１１と、可動囲い部７の縦材８ｂに取り付けられる可動板１２と、固定板１１と可動板１２とを回動自在に連結する連結ピン１３とから構成されている。
【００３８】
可動囲い部７の固定囲い部６に接続される縦材８ｂとは他端側の縦材８ａの上下端部にはそれぞれストッパー部としてのフック１４が取り付けられ、可動囲い部７を回動させて固定囲い部６の開口部を閉じた状態で、各フック１４を固定囲い部６の可動囲い７が接続される縦材３ａとは他端側の縦材３ｂの上下端部に掛着させることにより、可動囲い部７を固定囲い部６に対して閉じた状態、すなわち、固定囲い部６及び可動囲い部７でがい管２５の全周を囲んだ状態とすることができる。
【００３９】
固定囲い部６の可動囲い部７が接続される縦材３ａの中央部には、図６に示すように、水平位置と垂直位置との間を回動可能な板状のストッパー１６を有するストッパー部１５が設けられている。図１及び図３に示すように、ストッパー１６を回動させて水平位置にセットして、ストッパー１６の図３中手前側の面に可動囲い部７の縦材８ｂを当接させることにより、可動囲い部７を開いた状態に固定することができる。また、図２及び図４に示すように、ストッパー１６を回動させて垂直位置にセットすることにより、可動囲い部７を閉じる方向に回動させることができる。
【００４０】
固定囲い部６及び可動囲い部７の内面側（縦材３、８及び横材４、９の内面側）にゴム等からなるクッション材（図示せず）を設けてもよい。クッション材を設けることにより、固定囲い部６及び可動囲い部７の内面側が過ってがい管２５に接触させた場合に、がい管２５が損傷するのを防止できる。
【００４１】
そして、上記のように構成した本実施の形態の足場１を用いて、気中終端接続箱２０の架台２１の上部に設けられたがい管２５の保守点検作業、事故等の緊急時の作業等の各種の作業を行うには、まず、図１及び図３に示すように、対象のがい管２５に対応する架台２１の外面側の部分に足場１を配置し、足場１の梯子部２を架台２１の外面に沿うように地上から立て掛け、梯子部２の位置を微調整して固定囲い部６でがい管２５の図１中の手前側の半周を囲み、梯子部２をバンド等によって架台２１に固定する。この場合、予め、ストッパー部１５のストッパー１６を回動させて水平位置にセットし、ストッパー１６の図１中手前側の面に可動囲い部７の縦材８ｂに当接させ、可動囲い部７を開いた状態に固定しておく。これにより、足場１の設置の際に、可動囲い部７が過って回動してがい管７に接触するのを防止できる。
【００４２】
次に、図２及び図４に示すように、ストッパー部１５のストッパー１６を回動させて垂直位置にセットし、可動囲い部７を回動可能な状態とする。そして、可動囲い部７を閉じる方向に回動させて、可動囲い部７の縦材８ａに設けられている各フック１４を固定囲い部６の縦材３ｂにそれぞれ掛着させ、可動囲い部７を閉じた状態に固定し、可動囲い部７でがい管２５の図中奥側の半周を囲む。これにより、固定囲い部６及び可動囲い部７でがい管２５の全周を囲むことができる。
【００４３】
このようにして、足場１を設置することにより、作業者が地上から梯子部２及び固定囲い部６を利用してがい管２５の高さまで昇ることができ、がい管２５の保守点検作業、がい管２５の上端部の端子の開放作業等の各種の作業を行うことができる。
【００４４】
上記のように構成した本実施の形態の足場１にあっては、架台２１の外面に沿うように地上から梯子部２を立て掛けて、固定囲い部６でがい管２５の半周を囲み、梯子部２をバンド等によって架台２１に固定し、可動囲い部７を回動させて固定囲い部６の開口部を閉じ、可動囲い部７のフック１４を固定囲い部６に掛着させることにより、がい管２５の残りの半周を囲むことができ、固定囲い部６及び可動囲い部７でがい管２５の全周を囲んだ状態とすることができる。
【００４５】
従って、従来の足場のように、がい管を架台に固定しているボルト軸からナットを取り外し、足場を取り付けた後にナットを締め直すような作業が不要となるので、足場１を容易に、短時間で設置することができ、がい管２５に対する保守点検作業等の各種の作業を容易に、短時間で、効率良く行うことができ、保守点検作業等の各種の作業に要する費用を削減することができる。
【００４６】
また、従来の足場のように、架台の上部で足場を組み立てる必要がなく、地上から足場１を設置することができるので、足場１の設置の際に、足場１の各部ががい管２５に接触して、がい管２５を損傷させるようなことはない。また、可動囲い部７を開いた状態にストッパー部１５のストッパー１６で固定して、梯子部２を架台２１の外面に沿って立て掛け、固定囲い部６でがい管２５の半周を囲み、この状態で可動囲い部７を閉じる方向に回動させて、がい管２５の残りの半周を囲むことになるので、足場１を設置する際に、可動囲い部７が過って回動してがい管２５を損傷させるようなことはない。
【００４７】
また、足場１の固定囲い部６及び可動囲い部７によってがい管２５の全周を囲むことができるので、がい管２５の全周の保守点検作業等の各種の作業を容易に短時間で効率良く行うことができ、がい管２５の保守点検作業等の各種の作業に要する費用を削減することができる。
【００４８】
また、固定囲い部６及び可動囲い部７の横材４、９に胴綱を掛けることができるので、作業者が各種の作業を行う際に、作業者よりも上方に位置する横材４、９に胴綱を掛けることにより、作業者が過って横材４、９から足を踏み外した場合の作業者の落下距離を短くすることができ、作業者の安全を確保することができる。
【００４９】
また、足場１を設置に要する時間を短縮することができるので、がい管２５の保守点検作業等の作業の際に停電時間を短縮できるとともに、事故等の緊急時に迅速に対応することができる。
【００５０】
また、足場１を利用してがい管２５に対して各種の作業を行う場合に、がい管２５に胴綱を掛ける必要がないので、柔軟性を有するポリマーがい管２５であっても、がい管２５を損傷させることなく、がい管２５に対する各種の作業を容易に、短時間で効率良く、安全に行うことができる。
【００５１】
また、足場１の梯子部２の縦材３及び横材４、可動囲い部７の縦材８及び横材４をアルミ鋼材で形成したり、それらを中空のもので形成することにより、全体を軽量化することができるので、足場１の設置を容易に、短時間、効率良く行うことができるとともに、設置の際に足場１の各部ががい管２５に接触するのを防止できる。
【００５２】
また、足場１の梯子部２の縦材３及び横材４を鋼材で形成することにより、梯子部２に導電性をもたせることができるので、梯子部２導電性を有する部材で鉄骨製の架台２に固定することにより梯子部２を接地させることができ、安全性を高めることができる。
【００５３】
図７及び図８には、本発明による足場及び足場を用いた作業方法の他の実施の形態が示されている。本実施の形態の足場１及び足場１を用いた作業方法は、梯子部２の全体を周知の梯子と同様に平板状に形成したものであって、その他の構成は前記実施の形態に示すものと同様である。
【００５４】
そして、本実施の形態による足場及び足場を用いた作業方法であっても、前記実施の形態に示すものと同様の作用効果を奏する。また、本実施の形態では、梯子部２の全体を平板状に形成しているので、直棒状の縦材３と横材４とを組み合わせることによって梯子部２を構成できるので、横材４を湾曲させた前記実施の形態に示すものよりも製造に要する手間を削減できる。
【００５５】
なお、図示はしないが、梯子部２の架台２１に沿う部分を周知の梯子と同様に平板状に形成し、固定囲い部６のみを略半円筒状に形成してもよい。また、可動囲い部７は、略半円筒状に限らず、略コ形状等に形成してもよい。要は、可動囲い部７と固定囲い部６とにより、がい管２５の全周を囲むことができればよい。
【００５６】
また、上記各実施の形態においては、足場１を架台２１の上部にポリマーがい管２５が固定された気中終端接続箱２０に適用したが、架台の上部に磁器製のがい管が固定された気中終端接続箱に適用してもよい。また、気中終端接続箱に限らず、架台の上部にポリマーがい管又は磁器製のがい管が固定された各種の設備に適用してもよい。さらに、がい管に限らず、架台の上部に対象物が設けられた各種の設備に適用してもよい。
【符号の説明】
【００５７】
１  足場
２  梯子部
３、３ａ、３ｂ  縦材
４  横材
６  固定囲い部
７  可動囲い部
８、８ａ、８ｂ  縦材
９  横材
１０  蝶番
１１  固定板
１２  可動板
１３  連結ピン
１４  ストッパー部（フック）
１５  ストッパー部
１６  ストッパー
２０  設備（気中終端接続箱）
２１  架台
２５  がい管
【図１】
2015119551.tif 000003
【図２】
2015119551.tif 000004
【図３】
2015119551.tif 000005
【図４】
2015119551.tif 000006
【図５】
2015119551.tif 000007
【図６】
2015119551.tif 000008
【図７】
2015119551.tif 000009
【図８】
2015119551.tif 000010